(57)【特許請求の範囲】
【請求項１】
内部に塗布溶液を収容する容器本体(2) と、容器本体(2) に着脱可能に取り付けられる蓋(3) とを備え、容器本体(2) が、塗布溶液を外部に流出させる流出孔(70)と、容器本体(2) の外部側に配位された塗布体(8) と、流出孔(70)と塗布体(8) との間に形成された筒状の受容部(73)とを備え、この受容部(73)を介して流出孔(70)から流出した塗布溶液が塗布体(8) に流れるようになされ、蓋(3) が、突起(31)を備え、この蓋(3) の容器本体(2) への取り付けに伴って、突起(31)が容器本体(2) の受容部(73)に入り込んで受容部(73)を遮断する塗布容器において、
容器本体(2) が、容器本体(2) を内部と外部とに区画した区画壁(7) と、区画壁(7) の外方側に配位された塗布体(8) と、閉塞部(61)とを備え、
区画壁(7) が、上記の受容部(73)と、上記の流出孔(70)と、区画壁(7) を撓ませるための可撓部(72)とを備え、
閉塞部(61)が、区画壁(7) の内方側に、流出孔(70)と間隔を隔てて対向するように配位され、
蓋(3) の突起(31)が、蓋(3) の容器本体(2) への取り付けに伴って受容部(73)に当接して受容部(73)を遮断するとともに、受容部(73)に当接した突起(31)が受容部(73)を閉塞部(61)側に押圧して可撓部(72)を撓ませ、この撓みによって、受容部(73)の流出孔(70)が閉塞部(61)に押し当てられて塞がれるようになされたものであることを特徴とする塗布容器。
【請求項２】
受容部(73)は、上部側の円筒部(73a) と、円筒部(73a) に続く下部側の円弧部(73b) とを備えたものであり、円筒部(73a) と円弧部(73b) とで縦断面が略Ｕ字状を呈し、円弧部(73b) は、内周面が略半球面をなし、円弧部(73b) に上記流出孔(70)が設けられ、
上記突起(31)の先端部は、円弧当接部(34)と、円弧当接部(34)に続き先端側に行くに従い径小となるテーパー部(33)とを備え、
円弧当接部(34)は、受容部(73)の円弧部(73b) の半径(R2)よりやや大きい半径(R1)の略半球面から構成され、受容部(73)の円弧部(73b) の略全体に面接触することができるものであり、
テーパー部(33)は、円弧当接部(34)が受容部(73)の円弧部(73b) に面接触する際、テーパー部(33)も同時に受容部(73)の円筒部(73a) の内面略全体に面接触するものであり、
この突起(31)における円弧当接部(34)及びテーパー部(33)の位置は、外蓋(3) を容器本体(2) に取付けて閉めた際、受容部(73)に入り込んで円筒部(73a) 、円弧部(73b) 各々に面接触する位置に設定されたことを特徴とする請求項１記載の塗布容器。
【請求項３】
容器本体(2) は、塗布溶液を収容する収容部(4) と、収容部(4) の上部側に設けられた開口部(21)とを備え、
上記の区画壁(7) が、開口部(21)を塞ぎ、
上記の閉塞部(61)が、区画壁(7) の下方側に設けられて、区画壁(7) と、閉塞部(61)との間には、空間部(63)が形成され、
上記の閉塞部(61)は、空間部(63)と収容部(4) とを連絡する連通孔(62)を備えるものであり、
閉塞部(61)は、区画壁(7) に先立ち、連通孔(62)を除き、開口部(21)の全体を閉ざすものであり、
受容部(73)は、区画壁(7) における流出孔(70)の周部側を円形状に下方に窪ませるようにして形成したものであり、上部側の円筒部(73a) と、円筒部(73a) に続く下部側の円弧部(73b) とを備え、円弧部(73b) に上記流出孔(70)が設けられ、
閉塞部(61)の上面は、平らであるか、又は、受容部(73)の円弧部(73b) における流出孔(70)の周部と面接できる円弧面を備えるものであり、
受容部(73)は、円筒部(73a) と円弧部(73b) とで縦断面が略Ｕ字状を呈するか、
或いは、上記略Ｕ字状を呈する円筒部(73a) と円弧部(73b) とに加え、受容部(73)の下端に筒体(70a) を備えて、当該筒体(70a) の下端開口部を流出孔始端部(70b) とし、受容部(73)に穿設した開口部を流出孔終端部(70c) とし、流出孔始端部(70b) から流出孔終端部(70c) に至る筒体(70a) の内部全体を流出孔(70)にすることにより、突起(31)によって受容部(73)を押し下げるに伴い筒体(70a) の流出孔始端部(70b) を閉塞部(61)に当接させ、流出孔始端部(70b) を下方側から塞ぐことを特徴とする請求項１又は２記載の塗布容器。
【発明の詳細な説明】
【０００１】
【発明の属する技術分野】
本願発明は、窓ガラス等に、撥水剤、曇り止め、ガラスクリーナー等の塗布溶液を塗布するのに使用する塗布容器の改良に関する。
【０００２】
【従来の技術】
従来、窓ガラス等に、撥水剤や曇り止め等の塗布溶液を塗布するのに使用する塗布容器として、例えば、実開平６−８５２５８号公報に提案されている。
この塗布容器は、図９(A) に示すように、撥水剤等の塗布溶液Ｓを収容した有底筒状の容器本体ａと、容器本体ａに着脱可能に取り付けられた外蓋ｂとを備え、この容器本体ａの首部開口には、区画壁ｃと、区画壁ｃの下方側に間隔を隔てて配位された連通孔ｄ１を有する中蓋ｄと、中蓋ｄの上方側に空隙ｅを設けて配位した塗布体ｆとを備え、又、区画壁ｃに、流出孔ｃ１を穿設するとともに、流出孔ｃ１の周部に傾斜面ｃ２を備えたものとし、一方、外蓋ｂには、突起ｇを備え、この突起ｇの下端面に円錐状の凸部ｇ１を設けたものである。そして、使用に際しては、外蓋ｂを容器本体ａから外して塗布体ｆを露出させ、図９(B) に示すように、容器本体ａを上下逆様にすることによって、内部の塗布溶液Ｓが、中蓋ｄの連通孔ｄ１及び流出孔ｃ１を経て、外部へ流出し、塗布体ｆに吸収される。従って、その状態から塗布体ｆを車の窓ガラス等の被塗布面に押し付けることによって、塗布体ｆに吸収された塗布溶液Ｓを、この被塗布面に塗布することができ、一方、使用しないときは、図９(A) に示すように外蓋ｂを容器本体ａに螺合させて取り付ければ、それに伴って、突起ｇの下端面ｇ２及び凸部ｇ１の周面が、中栓ｃの傾斜面ｃ２に上方側から当接して流出孔ｃ１を封じることができ、容器本体ａを上下逆様にしても塗布溶液Ｓが出るようなことを防止できる。
しかしながら、このものにおいて、未使用時、突起ｇの下端面ｇ２及び凸部ｇ１の周面を、中栓ｃの傾斜面ｃ２に上方側から単に当接しているだけのため、流出孔ｃ１と突起ｇとの当たり具合、長期の使用による磨耗や変形、或いは製造時の寸法の誤差によって、流出孔ｃ１と突起ｇとの間に隙間が生じ、その隙間から塗布溶液が空隙ｅへ漏れ出し、簡単に空隙ｅから外部へ流出してしまうという課題がある。
【０００３】
【発明が解決しようとする課題】
本願発明は、未使用時における流出孔からの塗布溶液の漏れを確実に塞ぐことのできる塗布容器を提供することを目的とする。
【０００４】
【課題を解決するための手段】
本願第１の発明に係る塗布容器は、内部に塗布溶液を収容する容器本体２と、容器本体２に着脱可能に取り付けられる蓋３とを備える。容器本体２は、塗布溶液を外部に流出する流出孔７０と、容器本体２の外部側に配位された塗布体８と、流出孔７０と塗布体８との間に形成された筒状の受容部７３とを備え、この受容部７３を介して流出孔７０から流出した塗布溶液が塗布体８に流れるようになされ、蓋３は、突起３１を備え、この蓋３の容器本体２への取り付けに伴って、突起３１のテーパー部３３が容器本体２の受容部７３に入り込んで受容部７３を遮断する塗布容器について、次の構成を採るものを提供する。
即ち、 容器本体２が、容器本体２を内部と外部とに区画した区画壁７と、区画壁７の外方側に配位された塗布体８と、閉塞部６１とを備える。区画壁７は、上記の受容部７３と、上記の流出孔７０と、区画壁７を撓ませるための可撓部７２とを備える。閉塞部６１は、区画壁７の内方側に、流出孔７０と間隔を隔てて対向するように配位されている。蓋３の突起３１は、蓋３の容器本体２への取り付けに伴って受容部７３に当接して受容部７３を遮断するとともに、受容部７３に当接した突起３１が受容部７３を閉塞部６１側に押圧して可撓部７２を撓ませ、この撓みによって、受容部７３の流出孔７０が閉塞部６１に押し当てられて塞がれるようになされたものである。
【０００５】
本願第２の発明は、上記本願第１の発明にあって、次の構成を採る塗布容器を提供する。
即ち、受容部７３は、上部側の円筒部７３ａと、円筒部７３ａに続く下部側の円弧部７３ｂとを備えたものであり、円筒部７３ａと円弧部７３ｂとで縦断面が略Ｕ字状を呈し、円弧部７３ｂは、内周面が略半球面をなし、円弧部７３ｂに上記流出孔７０が設けられている。上記突起３１の先端部は、円弧当接部３４と、円弧当接部３４に続き先端側に行くに従い径小となるテーパー部３３とを備える。円弧当接部３４は、受容部７３の円弧部７３ｂの半径Ｒ２よりやや大きい半径Ｒ１の略半球面から構成され、受容部７３の円弧部７３ｂの略全体に面接触することができるものである。テーパー部３３は、円弧当接部３４が受容部７３の円弧部７３ｂに面接触する際、テーパー部３３も同時に受容部７３の円筒部７３ａの内面略全体に面接触するものである。この突起３１における円弧当接部３４及びテーパー部３３の位置は、外蓋３を容器本体２に取付けて閉めた際、受容部７３に入り込んで円筒部７３ａ、円弧部７３ｂ各々に面接触する位置に設定されたことを特徴とする。
【０００６】
本願第３の発明では、上記本願第１又は第２の発明にあって、次の構成を採る塗布容器を提供する。
即ち、容器本体２は、塗布溶液を収容する収容部４と、収容部４の上部側に設けられた開口部２１とを備える。上記の区画壁７が、開口部２１を塞ぐ。上記の閉塞部６１が、区画壁７の下方側に設けられて、区画壁７と、閉塞部６１との間には、空間部６３が形成されている。上記の閉塞部６１は、空間部６３と収容部４とを連絡する連通孔６２を備える。閉塞部６１は、区画壁７に先立ち、連通孔６２を除き、開口部２１の全体を閉ざす。受容部７３は、区画壁７における流出孔７０の周部側を円形状に下方に窪ませるようにして形成したものであり、上部側の円筒部７３ａと、円筒部７３ａに続く下部側の円弧部７３ｂとを備え、円弧部７３ｂに上記流出孔７０が設けられている。閉塞部６１の上面は、平らであるか、又は、受容部７３の円弧部７３ｂにおける流出孔７０の周部と面接できる円弧面を備える。受容部７３は、円筒部７３ａと円弧部７３ｂとで縦断面が略Ｕ字状を呈するか、或いは、上記略Ｕ字状を呈する円筒部７３ａと円弧部７３ｂとに加え、受容部７３の下端に筒体７０ａを備えて、当該筒体７０ａの下端開口部を流出孔始端部７０ｂとし、受容部７３に穿設した開口部を流出孔終端部７０ｃとし、流出孔始端部７０ｂから流出孔終端部７０ｃに至る筒体７０ａの内部全体を流出孔７０にすることにより、突起３１によって受容部７３を押し下げるに伴い筒体７０ａの流出孔始端部７０ｂを閉塞部６１に当接させ、流出孔始端部７０ｂを下方側から塞ぐ。
【０００７】
以上のように構成した本願第１乃至第３の発明においては、蓋３の突起３１に、先端に行くに従い径小となるテーパー部３３を備え、蓋３の容器本体２への取り付けに伴って、この突起３１のテーパー部３３を容器本体２の受容部７３に入り込ませて受容部７３を遮断するものとする。こうすることにより、突起３１のテーパー部３３を容易に受容部７３に入り込ませることができるとともに、受容部７３の径の大きさが製作誤差等により異なり、或いは、楕円状に変形しているような場合でも、受容部７３の内周面を全周に渡ってテーパー部３３に当接させて遮断できる。
【０００８】
また、本願第１乃至第３の発明においては、区画壁７に、区画壁７を撓ませるための可撓部７２を備え、蓋３の容器本体２への取り付けに伴って突起３１を、受容部７３に当接させて受容部７３を遮断するとともに、受容部７３に当接した突起３１が、受容部７３を押圧して可撓部７２を撓ませるものとする。こうすることにより、可撓部７２の復元力を受容部７３から突起３１にかけることができる。これにより、突起３１と受容部７３とを確実に密接状態にでき、突起３１による遮断を確実なものにできる。
【０００９】
特に、本願第１乃至第３の発明においては、区画壁７に可撓部７２を備えるとともに、区画壁７の内方側に、流出孔７０と間隔を隔てて対向するように配位させた閉塞部６１を備え、蓋３の容器本体２への取り付けに伴って、突起３１が受容部７３を遮断するとともに、受容部７３に当接した突起３１が受容部７３を閉塞部６１側に押圧して可撓部７２を撓ませ、この撓みによって、受容部７３の流出孔７０を閉塞部６１に押し当てて塞ぐものとする。こうすることにより、受容部７３から突起３１に可撓部７２の復元力をかけて突起３１と受容部７３とを確実に密接状態にすると同時に、閉塞部６１によって流出孔７０を突起３１の反対側からも塞ぐことができる。
【００１０】
【発明の実施の形態】
以下、図面に基づき本願発明の実施の形態を説明する。
図１は、本願発明の第１の実施の形態の塗布容器の側面図、図２(A) は、図１の上部側の要部縦断面図、図２(B) は、図２(A) の要部拡大縦断面説明図である。
【００１１】
この第１実施形態の塗布容器１は、容器本体２と、容器本体２の上部に着脱可能に取り付けられる外蓋３とにて構成されている。
容器本体２は、図１に示すように、有底筒状のものからなり、下部外周が把持部２０をなしている。この実施形態の把持部２０における下方側には、くびれ部２０ａが備えらたものとされており、把持部２０を把持して塗布操作した際にくびれ部２０ａによって把持した手が把持部２０から滑り難いようになされている。容器本体２の内部には、図２(A) に示すように塗布溶液を収容する収容部４を備え、上部側に開口部２１を備えている。又、容器本体２の上部側には、区画壁７と、区画壁７の上方側に配位された塗布体８とを備えている。
【００１２】
区画壁７は、周部に、円筒状の内側壁７１と、内側壁７１より径大な円筒状の外側壁７２とを備えている。内側壁７１は、区画壁７から一体的に下方に延設されている。又、その内周面に本体螺合用ネジ部７１ａが備えられ、この本体螺合用ネジ部７１ａが、容器本体２の上部外周に設けられた区画壁取付用ネジ部２２に螺合されることにより、この区画壁７が容器本体２の開口部２１を塞いで内部と外部とに区画した状態で容器本体２の上部に取り付けられる。外側壁７２は、内側壁７１の外周側に、区画壁７から一体的に下方及び上方に延設されており、その外周面に蓋螺合用ネジ部７２ａが備えられている。又、区画壁７から上方側に延設された部分は、塗布体８を保持する塗布体保持部７２ｂをなしており、この塗布体保持部７２ｂの左部と右部とに、径内側に突設された複数の係止爪７２ｃ、７２ｃが備えられている。
【００１３】
区画壁７の中央には、収容部４の塗布溶液を外部に流出するための流出孔７０と、受容部７３とが備えられている。受容部７３は、後述する外蓋３の突起３１の先端部を受容するためのもので、本実施形態では、区画壁７における流出孔７０の周部側が円形状に下方に窪ませるようにして形成することにより、上部側の円筒部７３ａと、円筒部７３ａに続く下部側の円弧部７３ｂとを備えたものとし、円筒部７３ａと円弧部７３ｂとで縦断面が略Ｕ字状を呈している。又、この円筒部７３ａは、内周径が下方に行くに従い漸次径小となるテーパーに形成されている。円弧部７３ｂは、内周面が略半球面をなし、この円弧部７３ｂの中央に流出孔７０が穿設されている。また、本実施形態における区画壁７における受容部７３の周部には、上方に突設された円形状の受容部塞ぎ防止部７４が備えられている。この受容部塞ぎ防止部７４の外周面は、断面円弧状に形成されることにより、上方に行くに従って漸次径小になっている。
【００１４】
また、本実施形態では、区画壁７の下方側に中蓋６が設けられている。この中蓋６は、周部側に小孔からなる連通孔６２を備えている。そして、中蓋６は、区画壁７の容器本体２への取付けに先立って、容器本体２の開口部２１内に嵌着されることにより、容器本体２の開口部２１の、連通孔６２を除く全体を閉ざしている。又、この中蓋６は、区画壁７の下方側に間隔を隔てて配位されており、中蓋６と区画壁７との間には、空間部６３が形成されている。従って、区画壁７の流出孔７０は、空間部６３を介して容器本体２の収容部４と連通されている。この空間部６３を設けておくことにより、容器本体２を上下逆にして使用する際、塗布溶液の量が多く大きな液圧がかかる場合でも多量の塗布溶液が同時に流出孔７０に入るのを防止でき、空間部６３から徐々に流出孔７０に流すことができる。
【００１５】
塗布体８は、本実施形態では、フェルトから構成されている。この塗布体８は、円筒状を呈し、外周径が区画壁７の塗布体保持部７２ｂの内周径よりやや小さい程度とされ、内周径が、区画壁７の受容部塞ぎ防止部７４の外周径よりやや大きい程度とされている。そして、塗布体８は、区画壁７の塗布体保持部７２ｂ内に嵌め入れられるようにして区画壁７の上面に載置されることにより、塗布体保持部７２ｂの係止爪７２ｃ…７２ｃに係止されて外れ止めされている。又、この塗布体８を区画壁７の上面に載置する際、内周部は、区画壁７の受容部塞ぎ防止部７４によって受容部７３の径外側に案内され、受容部７３を塞ぐようなことを防止できる。尚、この塗布体８の素材は、塗布溶液を吸収してガラス面等に塗布し得るものであれば良く、例えばスポンジ等、従来から使用されているものを使用できる。
【００１６】
外蓋３は、上面３０と、上面３０の外周から下方に延設された円筒状の側面３２とを備えている。側面３２の内周には、区画壁螺合用ネジ部３２ａが設けられており、この区画壁螺合用ネジ部３２ａが区画壁７の蓋螺合用ネジ部７２ａに螺合されることにより、この外蓋３が塗布体８全体を覆った状態で容器本体２に取り付けられる。外蓋３の上面３０には、内面の中央から下方側に延設された突起３１を備えている。この突起３１は、塗布体８の内周に入り込むことのできる程度の径の棒状体から構成されている。又、この突起３１の下端側の先端部には、円弧当接部３４と、円弧当接部３４に続く上方側にテーパー部３３とを備えている。円弧当接部３４は、受容部７３の円弧部７３ｂに当接させるためのもので、受容部７３の円弧部７３ｂの半径Ｒ２と同じか又はやや大きい程度の半径Ｒ１の略半球面から構成され、受容部７３の円弧部７３ｂ全体に面接触し得るようになされている。テーパー部３３は、受容部７３の円筒部７３ａの内面に当接させるためのもので、下端に行くに従って漸次径小となるテーパーに形成されている。本実施形態では、突起３１の上端から下端に至る全体をテーパーに形成している。又、そのテーパー角度は、受容部７３の円筒部７３ａのテーパー角度と同程度とされており、円弧当接部３４が受容部７３の円弧部７３ｂに面接するに際して、このテーパー部３３も同時に受容部７３の円筒部７３ａの内面略全体に面接触するようになされている。そして、この突起３１における円弧当接部３４及びテーパー部３３の位置は、外蓋３を容器本体２に取付けて閉めた際、丁度受容部７３に入り込んで円筒部７３ａ、円弧部７３ｂ各々に面接するような位置に設定されている。
【００１７】
次に、この塗布容器の使用方法について説明する。
使用する場合は、容器本体２に取付けた外蓋３を外せば良く、これにより、塗布体８を露出させることがきる。そして、容器本体２を上下逆にすれば、収容部４の塗布溶液が、連通孔６２から空間部６３に入り、空間部６３から流出孔７０に流れ、更に流出孔７０から受容部７３を通って塗布体８に吸収される。従って、この状態から塗布体８を被塗布面に沿って滑らせれば、塗布溶液を塗布できる。
【００１８】
使用しない場合は、外蓋３を容器本体２に取付ける。この取付けに際して、突起３１の円弧当接部３４及びテーパー部３３が、上方側から受容部７３に入り込んで円筒部７３ａ、円弧部７３ｂ各々に面接する。これにより、受容部７３及び流出孔７０を完全に遮断でき、容器本体２を上下逆にしても塗布溶液が外部に出るようなことを防止できる。又、突起３１の先端を、受容部７３の内面全体に当接させることにより、使用後に受容部７３に残留した塗布溶液を、突起３１にて押し戻し、流出孔７０から再び、空間部６３側に押し戻すことができ、一旦流出した残留液を再利用することができる。
【００１９】
尚、この第１実施形態における突起３１の先端部の形状や受容部７３の形状は、上記実施形態のものに限らず、突起３１のテーパー部３３が、受容部７３に入り込んで、受容部７３の内面に当接できる形態のものであれば良く、例えば図３(A) に示すように突起３１に円弧当接部３４を設けずにテーパー部３３だけを設け、受容部７３の一部にテーパー状の円筒部７３ａを形成してテーパー部３３の一部と面接触させ、或いは、受容部７３をテーパー部３３の一部と線接触させるようにしても良い。このようにしても、テーパー部３３が受容部７３に入り込んで受容部７３の径を押し広げるようにして受容部７３の内周と接触するため、受容部７３の内周の全周に渡って確実に当接でき、受容部７３を完全に遮断できる。又、突起３１に円弧当接部３４を設ける場合、図３(B) に示すように受容部７３の円弧７４の一部に当接させるようにしても良い。更には、突起３１のテーパー部３３や受容部７３の円筒部７３ａは、断面円形状に形成したものに限らず、例えば断面楕円形状や断面多角形状に形成したものでも良く、適宜変更できる。又、この第１実施形態においては、中蓋６を設けなくても良く、適宜変更し得る。
【００２０】
次に、第２実施形態について説明する。
第２実施形態の塗布容器は、区画壁７に可撓部７２を設けたものに係り、他の部材は、先の第１実施形態のものと同構成を採っている。
第２実施形態の区画壁７は、図４(A) に示すように、受容部７３における円筒部７３ａの一部の全周に、蛇腹状に形成されて上下に屈伸可能な可撓部７２を備えている。又、この受容部７３の円弧部７３ｂの位置は、外蓋３を容器本体２に取付けた際の突起３１の下端位置より上方位置になる位置に設定されている。
【００２１】
そして、このような可撓部７２を備えた受容部７３に、外蓋３を容器本体２に取付けるに際して突起３１が上方側から受容部７３に入り込んでいくと、図４(B) に示すように突起３１の円弧当接部３４が受容部７３の円弧部７３ｂに面接し、その面接した状態で下方に押圧する。この押圧によって可撓部７２が弾性変形して伸び、円弧部７３ｂが下方に押し下げられる。この下方に押し下げられた円弧部７３ｂは、可撓部７２からの復元力によって、突起３１の円弧当接部３４を上方側に付勢する。従って、面接した突起３１の円弧当接部３４と受容部７３の円弧部７３ｂとは、強固に面接した状態になり、受容部７３の円弧部７３ｂ及び円弧部７３ｂに形成した流出孔７０を、より確実に遮断できる。
【００２２】
尚、可撓部７２は、受容部７３の円筒部７３ａに設けるものに限らず、突起３１が受容部７３に当接して受容部７３を遮断する部分の周部に設けておけば良く、例えば図５(A) に示すように受容部７３の円弧部７３ｂにおける流出孔７０の周部に、或いは、図５(B) に示すように区画壁７における受容部７３の周部に設けるようにしても良く、適宜変更し得る。
【００２３】
又、可撓部７２を備えた第２実施形態のものにおいては、突起３１や受容部７３の形状は、特に限定されず、外蓋３を容器本体２に取付けるに際して突起３１が受容部７３に当接して受容部７３を遮断し得る形態のものであれば良い。例えば図９(A)(B)に示したものと同様に、受容部７３を、流出孔７０の周部に傾斜面を形成したものとし、外蓋３を容器本体２に取付けるに際して突起３１の下端部が受容部７３に当接して遮断するものとし、そして、可撓部７２を、突起３１と受容部７３とが当接する周部に設けた形態のものであっても良い。また、受容部７３を筒状のものから構成する場合においても、例えば可撓部７２を受容部７３における円筒部７３ａの一部又は円弧部７３ｂの一部に設ける場合（図４(A) 、図５(A))は、突起３１に、テーパー部３３を設けずに円弧当接部３４だけを設けたものとする、或いは、可撓部７２を区画壁７における受容部７３の周部に設ける場合（図５(B))は、突起３１に、テーパー部３３又は円弧当接部３４のいずれか一方だけを設けたものとして実施することもできる。
【００２４】
次に、第３実施形態について説明する。
第３実施形態の塗布容器は、流出孔７０の下方側に閉塞部６１を設け、外蓋３を容器本体２に取付けるに際して流出孔７０を下方側からも塞ぐようにしたもので、他の部材は、上記の第２実施形態のものと同構成を採っている。
【００２５】
この実施形態の閉塞部６１は、図６(A) に示すように、先の第１実施形態で説明した中蓋６の中央一部から構成している。この中蓋６の中央部の位置は、外蓋３を容器本体２に取付けた際、突起３１の押圧による可撓部７２の変形により押し下げられた受容部７３の円弧部７３ｂの下端位置より上方側の位置に設定され、図６(B) に示すように突起３１によって押し下げられてきた受容部７３の円弧部７３ｂの下端に中蓋６が当接し得るようになされている。このようにして、閉塞部６１を設けておくことにより、受容部７３の円弧部７３ｂに設けた流出孔７０を、突起３１の円弧当接部３４によって押し下げらるに伴い下方側から塞ぐことができる。従って、この第３実施形態では、突起３１が受容部７３の内面全体に面接することにより、受容部７３及び流出孔７０を遮断するとともに、可撓部７２の復元力によって更に強固に遮断し、それに加えて流出孔７０を下方側から塞ぐことができる。
【００２６】
尚、この閉塞部６１は、平面状のものに限らず、例えば図７(A) に示すように円弧面に形成し、受容部７３の円弧部７３ｂにおける流出孔７０の周部と面接させるようにしても良い。又、閉塞部６１は、中蓋６の中央一部から構成するものに限らず、中蓋６とは別個に設けても良く、例えば図７(B) に示すように区画壁７から延設して形成するようにしても良く、適宜変更し得る。
【００２７】
又、流出孔７０についても、上記形態ものに限らず、例えば図８(A) に示すように、受容部７３の下端に筒体７０ａを設け、筒体７０ａの下端開口部を流出孔始端部７０ｂとし、受容部７３に穿設した開口部を流出孔終端部７０ｃとし、流出孔始端部７０ｂから流出孔終端部７０ｃに至る筒体７０ａの内部全体を流出孔７０にしたものであっても良い。そして、図８(B) に示すように、突起３１の円弧当接部３４によって受容部７３を押し下げるに伴い筒体７０ａの流出孔始端部７０ｂを閉塞部６１に当接させ、流出孔始端部７０ｂを下方側から塞ぐようにしても良く、適宜変更し得る。
【００２８】
又、第３実施形態において、可撓部７２を設ける位置は、先の第２実施形態の場合と同様に、受容部７３の円弧部７３ｂにおける流出孔７０の周部に、或いは、区画壁７における受容部７３の周部に設ける等、突起３１が受容部７３に当接して遮断する部分の周部に設けておけば良い。又、突起３１や受容部７３の形状も、特に限定されず、先の第２実施形態の場合と同様に、外蓋３を容器本体２に取付けるに際して突起３１が受容部７３に当接して受容部７３を遮断し得る形態のものであれば良く、例えば受容部７３を、流出孔７０の周部に傾斜面を形成したものとし、突起３１の下端部が受容部７３に当接して遮断するもの、或いは、受容部７３を筒状のものから構成し、突起３１にテーパー部３３又は円弧当接部３４のいずれか一方だけを設けたものとして実施することもできる。以上が、第３実施形態の説明である。
【００２９】
尚、上記各実施の形態において、使用する塗布溶液Ｓは、特に限定されず、ガラスクリーナーの他、撥水剤や曇り止め等の液剤、或いは、ガラス以外に種々の目的を以て塗布される塗布液を、塗布溶液Ｓとして、収容するものであっても実施可能である。
【００３０】
【発明の効果】
以上、本願第１乃至第３の発明は、突起３１のテーパー部３３を容易に受容部７３に入り込ませることができるとともに、受容部７３の径の大きさが製作誤差等により異なり、或いは、楕円状に変形しているような場合でも、受容部７３の内周面を全周に渡ってテーパー部３３に当接させて遮断できる。これにより、未使用時における流出孔からの塗布溶液の漏れを確実に塞ぐことができる。
【００３１】
また、本願第１乃至第３の発明は、可撓部７２からの復元力を受容部７３から突起３１にかけることができ、突起３１と受容部７３とを確実に密接状態にでき、突起３１による遮断を確実なものにできる。これにより、未使用時における流出孔からの塗布溶液の漏れを、より確実に塞ぐことができる。
【００３２】
特に、本願第１乃至第３の発明は、受容部７３から突起３１に可撓部７２からの復元力をかけて突起３１と受容部７３とを確実に密接状態にすると同時に、閉塞部６１によって流出孔７０を突起３１の反対側からも塞ぐことができる。従って、突起３１による遮断を可撓部７２の復元力によって確実に遮断し、それに加えて閉塞部６１によって流出孔７０を突起３１の反対側からも塞いで未使用時における流出孔からの塗布溶液の漏れを確実に塞ぎ得るものにできる。
【図面の簡単な説明】
【図１】本願発明の第１実施の形態に係る塗布容器の側面図である。
【図２】  (A) は、本願発明の第１実施の形態に係る塗布容器の上部についての要部縦断面図、(B) は、図２(A) の要部拡大縦断面説明図である。
【図３】  (A) は、第１実施の形態における突起の他の実施の形態の要部縦断面図であり、(B) は、第１実施の形態における突起の更に他の実施の形態の要部縦断面図である。
【図４】  (A) は、本願発明の第２実施の形態に係る塗布容器の要部拡大縦断面図、(B) は、外蓋を容器本体に取付け、第２実施の形態の受容部に突起が入り込んで可撓部が弾性変形して伸びた状態の要部拡大縦断面説明図である。
【図５】  (A) は、第２実施の形態の他の実施の形態の要部縦断面図、(B) は、第２実施の形態の更に他の実施の形態の要部縦断面図である。
【図６】  (A) は、本願発明の第３実施の形態に係る塗布容器の要部拡大縦断面図、(B) は、図６(A) の状態から外蓋を容器本体に取付けて突起が受容部に入り込んで受容部を押圧した状態の要部拡大縦断面説明図である。
【図７】  (A) は、第３実施の形態に係る閉塞部の他の実施の形態の要部縦断面図、(B) は、閉塞部の更に他の実施の形態の要部縦断面図である。
【図８】  (A) は、第３実施の形態に係る塗布容器における流出孔の他の実施形態の要部縦断面図、(B) は、(A) の状態から外蓋を容器本体に取付けて突起が受容部に入り込んで受容部を押圧した状態の要部拡大縦断面説明図である。
【図９】      (A) は、従来例の要部拡大縦断面図、従来例の外蓋を外して使用状態にした要部拡大縦断面図である。
【符号の説明】
１        塗布容器
２        容器本体
３        外蓋
４        収容部
６        中蓋
７        区画壁
８        塗布体
３１      突起
３３      テーパー部
７０      流出孔
７２      可撓部
７３      受容部
【図１】
0004051123.tif 000002
【図２】
0004051123.tif 000003
【図３】
0004051123.tif 000004
【図４】
0004051123.tif 000005
【図５】
0004051123.tif 000006
【図６】
0004051123.tif 000007
【図７】
0004051123.tif 000008
【図８】
0004051123.tif 000009
【図９】
0004051123.tif 000010